(57)【要約】【課題】化粧洗面台におけるミラーの区分された一部を当該ミラーから引き出して用いる。【解決手段】洗面化粧台Ａのミラー１０が、ミラー１０の区分された一部からなる区分ミラー部１２と、区分ミラー部１２以外のミラー主体部１１とで構成してあり、回動可能に接続された複数のアーム片からなるアームの一端側に区分ミラー部１２が組み付けてあると共にアームの他端側がミラー１０の備え付け基材２０に組み付けてあって、区分ミラー部１２が、区分ミラー部１２のミラー面をミラー主体部１１のミラー面と同面の状態から洗面側に引き出し得る洗面化粧台。【選択図】図１
2007054521.tif 000002
【特許請求の範囲】
【請求項１】
洗面化粧台を構成するミラーであって、
このミラーが、当該ミラーの区分された一部からなる区分ミラー部と、当該区分ミラー部以外のミラー主体部とで構成してあり、
回動可能に接続された複数のアーム片からなるアームの一端側に前記区分ミラー部が組み付けてあると共に当該アームの他端側が前記ミラーの備え付け基材に組み付けてあって、
この区分ミラー部が、当該区分ミラー部のミラー面を前記ミラー主体部のミラー面と同面をなすように備えられている状態から洗面側に向けて引き出し得るようにしてあることを特徴とする洗面化粧台。
【請求項２】
区分ミラー部の背部方に、この区分ミラー部をミラー主体部のミラー面と同面状態に吸着維持し、かつ、この区分ミラー部がミラーの備え付け基材側に押された際に当該区分ミラー部を洗面側に押し出す吸着保持手段が備えられていることを特徴とする請求項１に記載の洗面化粧台。
【請求項３】
区分ミラー部が、ミラー主体部のミラー面と同面をなす平面状ミラー面を備えており、かつ、当該平面状ミラー面の背面側を凸面状ミラー面としてあることを特徴とする請求項１又は請求項２に記載の洗面化粧台。
【発明の詳細な説明】
【技術分野】
【０００１】
この発明は、ミラーを備えた各種の洗面化粧台にあって、当該ミラーを通例の洗面化粧用ミラーとして用い得ると共に、必要に応じて、当該ミラーから区分ミラー部を手前側に引き出して、顔や細部の化粧等に際して用いたり、ミラーに接近できない、例えば、身長の低い幼児童や、車椅子での移動を余儀なくされている人等の洗面化粧に都合よく用い得る洗面化粧台の提供に関する。
【背景技術】
【０００２】
近時、洗面化粧台におけるミラー面が改良され、照明その他のレイアウトの関係から身繕いに都合のよい構造に設けてある。
【０００３】
しかしながら、近時、洗面ボールが大型化する傾向にあり、また、カウンター部分が豪華に構成されており、洗面化粧台の前に立って洗面、化粧をする際に、ミラー面との間隔が大きく、顔の細部にわたる化粧等に用い難い不具合があった。この結果、洗面化粧台の前面に立って細部の化粧をする際には、上体をミラー面に近づけ、この斜めに身をかがめた状態で髭剃りや、コンタクトレンズの装着や、眉描きその他のメーキングをなす必要があり、快適なミラーの使用をなし難かった。
【０００４】
かかる洗面化粧台の使用における不具合は、背丈の低い児童や、上体を伸ばしきれない車椅子使用者などにおいて顕著に顕れる傾向にあり、洗面台の縁部からカウンターを隔ててミラーを用いる必要があった。
【０００５】
かかる点からミラーの縦向きの一側縁を縦向きの軸で受けて当該ミラーを水平向きに回動し得るようにしたものがある。
【０００６】
また、かかる点から、ミラーの側方に手前側に突き出すよう設置されているサイドキャビネットの前面にミラーを設け、このミラーを当該キャビネットの扉に併用したものがある。
【発明の開示】
【発明が解決しようとする課題】
【０００７】
しかしながら、かかる構成の洗面化粧台のミラーにあっては、ミラー部分を回動して洗面台側に引き出した際にあっても、この回動ミラー面が洗面台の前縁に並行となることがなく、当該ミラーを用いる人が、当該ミラー面に向き合うように姿勢を調整する必要があった。
【０００８】
また、かかる従前における洗面化粧台におけるミラーにあっては、ミラー面を目視し易い手近な位置に設けることができず、微細な髭や、鼻毛処理や、コンタクトレンズの装着や、女性における各種の化粧処理に難があった。
【０００９】
また、かかる点から手鏡を用いた化粧等にあっては、この手鏡の保持に一方側の手が塞がれ、メーキング等の化粧処理を片手で行う必要があり、ミラーを用いた各種処理の難点とされていた。
【００１０】
この発明は、かかる従来における洗面化粧台における不具合に鑑み、通例は洗面化粧台のミラーとして用い得ると共に、必要に応じて当該ミラーの一部を使用位置まで引きだし、当該ミラーを身ながら細部にわたる化粧や、身繕いや、コンタクトレンズの装着等を容易になし得るようにした洗面化粧台を提供するものである。
【課題を解決するための手段】
【００１１】
前記課題を解決するために、この発明は、洗面化粧台を構成するミラーであって、このミラーが、当該ミラーの区分された一部からなる区分ミラー部と、当該区分ミラー部以外のミラー主体部とで構成してあり、
回動可能に接続された複数のアーム片からなるアームの一端側に前記区分ミラー部が組み付けてあると共に当該アームの他端側が前記ミラーの備え付け基材に組み付けてあって、
この区分ミラー部が、当該区分ミラー部のミラー面を前記ミラー主体部のミラー面と同面をなすように備えられている状態から洗面側に向けて引き出し得るようにしてあることを特徴とする洗面化粧台としてある。
【００１２】
このように構成される洗面化粧台は、通常時にあっては、いわゆる洗面化粧台のミラーとして用い得ると共に、細部の化粧や、細部の身繕いや、コンタクトレンズの装着等のように近い位置にミラーを必要とする際に、区分ミラー部を必要位置まで引きだし用いることができる。
【００１３】
また、かかる区分ミラー部の引き出し使用の必要の無い場合にあっては、これを戻してミラー主体部と共に一連のミラーとして構成し得ることから、区分ミラー部の設置に伴う煩雑性を避けることができる。
【００１４】
また、引き出される区分ミラー部は、ミラーの備え付け基材に組み付けられた回動可能なアーム片を備えていることから、洗面化粧台の前面側の縁に並行をなすように当該区分ミラー部を引き出し用いることができ、使い勝手がよく、特に、十分な身長を備えていない児童や、車椅子等を用いている人が手近にミラーを位置づけた状態で両手を用いて、化粧や、身繕いや、コンタクトレンズの装着等のミラーを必要とする各種の動作を快適になすことができる。
【００１５】
ついで、前記課題を解決するために前記構成に係る洗面化粧台を、区分ミラー部の背部方に、この区分ミラー部をミラー主体部のミラー面と同面状態に吸着維持し、かつ、この区分ミラー部がミラーの備え付け基材側に押された際に当該区分ミラー部を洗面側に押し出す吸着保持手段が備えられていることを特徴とした洗面化粧台にあっては、区分ミラー部をミラーの備え付け基材側に押すことによって、この区分ミラー部が吸着保持手段によって吸着されて、この区分ミラー部のミラー面とミラー主体部のミラー面とが同面の状態となるように維持される特長を有している。
【００１６】
また、かかる吸着保持手段によって既に吸着維持されている区分ミラー部を当該ミラーの備え付け基材側に再度押すことによって、この区分ミラー部を吸着維持している吸着保持手段の吸着部が突き出されて、区分ミラー部を手前側、すなわち、洗面側に押し出すように機能し、この押し出された区分ミラー部の側端を指先で手前側に引くことによって、当該区分ミラー部を洗面側の必要位置に引き出すことができる。
【００１７】
また、前記課題を解決するために前記構成に係る洗面化粧台を、区分ミラー部が、ミラー主体部のミラー面と同面をなす平面状ミラー面を備えており、かつ、当該平面状ミラー面の背面側を凸面状ミラー面としてあることを特徴とする洗面化粧台にあっては、洗面化粧台のミラー部分から洗面側に引き出した区分ミラー部を、必要に応じて反転し、その凸面鏡側によって、写し出し確認する部分を応分に拡大して観察したり、化粧等の処理を施したり、身繕いをしたり、コンタクトレンズの装着をなす等、種々の態様で用いることができる。
【発明の効果】
【００１８】
この発明に係る洗面化粧台は、通例の使用態様において、いわゆる、全体を写し出す洗面化粧手段として用い得ると共に、細部の確認や、細部にわたる処理、例えば、細部にわたるメーキング等の化粧処理や、細部にわたる身繕い処理や、コンタクトレンズの適切な装着等に都合よく用いることができる。
【発明を実施するための最良の形態】
【００１９】
以下、図１〜図８に基づいて、この発明を実施するための最良の形態に係る洗面化粧台Ａについて説明する。
【００２０】
なお、図１は当該発明を実施するための最良の形態に係る洗面化粧台Ａを斜め上方から、図２では、この洗面化粧台Ａを用いている状態を側面側から見て示している。
図３では、この洗面化粧台Ａの要部を拡大して斜め上方から見て、図４では、これを側方から見て示している。図５は、この図４に示された要部をアーム部分で断面して示すと共に、区分ミラー部１２に対する取り付け部を拡大して示している。
図６は、この区分ミラー部１２をミラー１０の備え付け基材２０に取り付けるアーム３０を構成する各アーム片３０’を一部分離した状態で斜め上方から見て、更に、図７では、このアーム３０及び区分ミラー部１２の組み付け部を部品を分離して斜め上方から見て示している。また、図８は、この区分ミラー部１２を所定位置に吸着維持し、かつ、当該区分ミラー部１２を再度押し込んだ際に当該区分ミラー部１２をミラー主体部１１のミラー面から洗面側に突き出すようにする吸着保持手段Ｂの典型例を分かりやすく平断面の状態で示している。
【００２１】
かかる発明を実施するための最良の形態に係る洗面化粧台Ａは、洗面化粧台Ａを構成するミラー１０であって、このミラー１０が、当該ミラー１０の区分された一部からなる区分ミラー部１２と、当該区分ミラー部１２以外のミラー主体部１１とで構成してあり、
回動可能に接続された複数のアーム片３０’からなるアーム３０の一端側に前記区分ミラー部１２が組み付けてあると共に当該アーム３０の他端側が前記ミラー１０の備え付け基材２０に組み付けてあって、この区分ミラー部１２が、当該区分ミラー部１２のミラー面を前記ミラー主体部１１のミラー面と同面をなすように備えられている状態から洗面側に向けて引き出し得るようにしてある。
【００２２】
なおお、ここで構成される洗面化粧台Ａは、通例、洗面化粧台として用いられる全ての態様の洗面化粧台を意味しており、例えば、洗面ボールを備えたカウンター及びフロアキャビネットにミラーキャビネットを備えた洗面化粧台、フロアキャビネット上のカウンターに洗面ボールを備えると共に当該カウンターに化粧ミラーを一体に備えた洗面化粧台、フロアキャビネット上のカウンターに洗面ボールを備えると共に壁面に化粧ミラーを据え付けた洗面化粧台、さらには、これらの洗面化粧台本体部分にサイドキャビネット、トールキャビネット、ウォールキャビネット等を組み付けて構成した洗面化粧台等、いかなる形態の洗面化粧台であってもよい。
【００２３】
このように構成される洗面化粧台Ａは、通常時にあっては、いわゆる洗面化粧台Ａのミラー１０として用い得ると共に、細部の化粧や、細部の身繕いや、コンタクトレンズの装着等のように近い位置にミラーを必要とする際に、区分ミラー部１２を必要位置まで引きだし用いることができる。
【００２４】
また、かかる区分ミラー部１２の引き出し使用の必要の無い場合にあっては、これを戻してミラー主体部１１と共に一連のミラー１０として構成し得ることから、区分ミラー部１２の設置にも拘わらず、すっきりとした態様のミラー１０を構成することができる。
【００２５】
また、引き出される区分ミラー部１２は、ミラー１０の備え付け基材２０に組み付けられた回動可能なアーム片３０’を備えていることから、洗面化粧台Ａの前面側の縁に並行をなすように当該区分ミラー部１２を引き出し用いることができ、使い勝手がよく、特に、十分な身長を備えていない児童や、車椅子等を用いている人が手近にミラーを位置づけた状態で両手を用いて、化粧や、身繕いや、コンタクトレンズの装着等のミラーを必要とする各種の動作を快適になすことができる。
【００２６】
かかる区分ミラー部１２は、洗面化粧台Ａを構成するミラー１０のいかなる部分をもって構成してあってもよく、また、いかなる形状、いかなる大きさのものとして構成あってもよい。
【００２７】
また、この区分ミラー部１２は、洗面化粧台Ａのミラー１０として用い得る平面状ミラー面を備えておれば、他方の面側が、いかなる構成としてあってもよい。例えば、平面状ミラー面の反対側面を凸球面状の凸面鏡、凹球面状の凹面鏡などとして構成することができる。
【００２８】
また、前記区分ミラー部１２の引き出し、収納操作に用いられるアーム３０は、当該区分ミラー部１２をミラー主体部１１のミラー面に同面の状態から洗面側、すなわち、手前側に引き出し得るものであれば、いかなる構造、いかなる素材によって構成してあってもよい。例えば、２本以上のアーム片３０’を順次に回動可能に接続して構成することができる。
【００２９】
ついで、前記構成に係る洗面化粧台Ａを、区分ミラー部１２の背部方に、この区分ミラー部１２をミラー主体部１１のミラー面と同面状態に吸着維持し、かつ、この吸着状態にある区分ミラー部１２がミラー１０の備え付け基材２０側に押された際に当該区分ミラー部１２を洗面側に押し出す吸着保持手段Ｂを備えた構成とした洗面化粧台Ａにあっては、まず、区分ミラー部１２をミラー１０の備え付け基材２０側に押して区分ミラー部１２を吸着保持手段Ｂに吸着し、当該吸着状態に維持することができ、この区分ミラー部１２のミラー面とミラー主体部１１のミラー面とを同面の状態に維持することができる。
【００３０】
ついで、かかる吸着保持手段Ｂによって吸着維持されている区分ミラー部１２を当該ミラー１０の備え付け基材２０側に押し込むことによって、この区分ミラー部１２を吸着維持している吸着保持手段Ｂの吸着部が突き出されて、区分ミラー部１２を手前側、すなわち、洗面側に押し出すように機能し、この押し出された区分ミラー部１２の側端を指先で手前側に引くことによって、当該区分ミラー部１２を洗面側の必要位置に引き出して用いることができる。
【００３１】
かかる機能を備える吸着保持手段Ｂであれば、いかなる形態の吸着保持手段であってもよく、吸着するマグネット側をミラー１０の備え付け基材２０に設け、当該マグネットに吸着される磁性材を区分ミラー部１２に設けてあっても、当該区分ミラー部１２にマグネット側を、このマグネットの吸着される磁性材をミラー１０の備え付け基材２０に設けるようにしてあってもよい。また、かかる吸着保持手段Ｂは、区分ミラー部１２の背部方に備えてあれば、その上部側であっても、下部側であっても、また側部側であってもよい。
【００３２】
また、前記構成に係る洗面化粧台Ａを、区分ミラー部１２が、ミラー主体部１１のミラー面と同面をなす平面状ミラー面を備えており、かつ、当該平面状ミラー面の背面側を凸面状ミラー面とした洗面化粧台Ａにあっては、洗面化粧台Ａのミラー１０から洗面側に引き出した区分ミラー部１２を、必要に応じて反転し、その凸面鏡側によって、写し出し確認する部分を応分に拡大して観察したり、化粧等の処理を施したり、身繕いをしたり、コンタクトレンズの装着をなす等、種々の態様で用いることができる。
【００３３】
以下、図１〜図８に示される典型的な洗面化粧台Ａについて具体的に説明する。
この図１〜図８に示される洗面化粧台Ａは、洗面化粧台Ａを構成するミラー１０が、当該ミラー１０の区分された一部からなる区分ミラー部１２と、当該区分ミラー部１２以外のミラー主体部１１とで構成してあり、回動可能に接続された複数のアーム片３０’からなるアーム３０の一端側に前記区分ミラー部１２が組み付けてあると共に当該アーム３０の他端側が前記ミラー１０の備え付け基材２０に組み付けてあって、この区分ミラー部１２が、当該区分ミラー部１２のミラー面を前記ミラー主体部１１のミラー面と同面をなすように備えられている状態から洗面側に向けて引き出し得るようにしてある。
【００３４】
この図示例にあっては、前記洗面化粧台Ａの典型的な一例として、洗面ボールＡｃを備えたカウンターＡｂをフロアーキャビネットＡａ上に設置し、かつ、備え付け基材２０にミラー１０を一体に備えたミラー化粧体Ａｄを洗面台におけるカウンターＡｂのバックガードに連続して備えられているベースプレートＡｅに備え付けた洗面化粧台Ａが示されている。
【００３５】
そして、このミラー化粧体Ａｄにおけるミラー１０の一部、特に、この図示例にあっては、三面鏡仕立てのミラー１０の側方部分の一部が区分ミラー部１２としてあって、当該ミラー１０におけるミラー主体部１１（区分ミラー部１２を除くミラー部分）と区分されて構成してあり、かつ、この区分ミラー部１２とミラー主体部１１とによって当該ミラー化粧体Ａｄにおけるミラー１０を構成するようにしてある。
【００３６】
この図示例にかかる区分ミラー部１２は、ミラー化粧体Ａｄにおけるやや下部側に位置した側部に当該側の縁を含んで水平向きに延びる四角形状のものとして構成してあり、この区分ミラー部１２の側端面１２ａにおいて備え付け基材２０の側端面２１ａにアーム３０で引き出し可能に組み付けてある。
【００３７】
すなわち、このミラー化粧体Ａｄにおけるミラー主体部１１には、当該区分ミラー部１２が、ほぼ密に納まる四角形状の凹欠部２１が、当該ミラー化粧体Ａｄの側端側で側方に開放するように設けてあり、この凹欠部２１内に、そのミラー面を、ミラー主体部１１におけるミラー面に同面をなすように区分ミラー部１２が納め入れ得る構成としてある。
【００３８】
この図示例にかかる区分ミラー部１２は、一方の面が、前記ミラー主体部１１のミラー面に同面とされる平面状ミラー面としてあり、当該平面状ミラー面の背面側が凸面状ミラー面である凸面鏡として構成してある。
【００３９】
かかる区分ミラー部１２をミラー化粧体Ａｄにおける前記凹欠部２１内に納め入れ、かつ、この納め入れ状態から手前側、すなわち、洗面側に引き出し、また、必要に応じて反転して凸面鏡として用い得るようにする手段として、アーム３０が備えられている。
【００４０】
この図示例に係るアーム３０は、複数のアーム片３０’、より具体的には、区分ミラー部１２の側端面１２ａに回動可能に組み付けられている第１のアーム片３１と、前記凹欠部２１の側方、特に当該凹欠部２１の開放されている備え付け基材２０の側端面２１ａに回動可能に組み付けられている第２のアーム片３２とを、互いの自由端側、すなわち、前記区分ミラー部１２に組み付けられていない側、及び、備え付け基材２０に組み付けられていない側を、回動可能に組み付けてある。
【００４１】
このように区分ミラー部１２を支持するアーム３０は、前記各取り付け部において回動可能とされており、区分ミラー部１２が当該アーム３０に対して回動可能とされており、また、備え付け基材２０に対して当該アーム３０が回動可能とされており、前記凹欠部２１内に対して区分ミラー部１２を都合よく納め入れ状態とし、かつ、当該納め入れ状態にある凹欠部２１から円滑に引き出し用い得ると共に、随時、必要に応じて、当該凹欠部２１内に円滑に納め入れ得るようにしてある。
【００４２】
かかるアーム３０は、当該区分ミラー部１２の円滑な出し入れ動作を可能とし、しかも、引き出された当該区分ミラー部１２を所定の位置に都合よく停止状態に維持し得る構成としてある。
【００４３】
この図示例にあっては、かかるアーム３０における回動可能な連結の一例として、各筒状部３１ｂ、３２ｃ内に装備した軸４０の締め付け具５０によって軸４０を適宜締め付け得る構成とし、当該軸４０を区分ミラー部１２、備え付け基材２０、第２のアーム片３２にそれぞれ設けて当該アーム３０を構成してある。
【００４４】
まず、備え付け基材２０における凹欠部２１の側端開放側にある側端面２１ａに軸４０Ｃを設け、また、区分ミラー部１２における縦向きにある一方の側端面１２ａに軸４０Ａを設け、更に、追って説明する第２のアーム片３２、３２の一端側間に軸４０Ｂを設けるようになし、この軸４０を締め付け具５０で適宜の回動状態を維持するように締め付け得る構成としてある。
【００４５】
まず、第１のアーム片３１は、縦向きに幅広とされている細長板状部３１ａと当該細長板状部３１ａの両端に、この細長板状部３１ａと直交する向きに開口する筒状部３１ｂ、３１ｂを備えており、一方の筒状部３１ｂ内に前記軸４０Ａを、他方の筒状部３１ｂに軸４０Ｂを受け入れるようにして、この軸４０Ａ、４０Ｂを当該筒状部３１ｂ内に入れ込まれる一対の軸受け材５１、５１の半弧状軸受け溝５１ａ、５１ａで支持するようになすと共に、この軸受け材５１、５１を当該軸受け材５１と筒状部３１ｂの内側面との間に装填されている湾曲板バネ５２を介して軸４０Ａ、４０Ｂに、当該筒状部３１ｂの雌ねじ孔５４から螺入される圧締ねじ５３で調節可能に圧接するようにしてある。なお、この湾曲板バネ５２は、その長さ方向のほぼ中程が下方に向けてやや凹み部５２ａとしてあり、この凹み部５２ａに前記圧締ねじ５３の先端を押しつけて当該湾曲板バネ５２を当該湾曲板バネ５２の付勢に抗して変形し得るようにしてある。
【００４６】
かかる軸受け材５１は、半円よりも小さい弧状断面の蒲鉾状をなし、対をなして軸５０を両側から挟むように設置された際に、一つの仮想の円をなす構成としてあり、互いに向き合っている面の中央に、その長さ方向に向けて弧状断面をなす軸受け溝５１ａを備えていると共に。外周部に、その円周方向に向けて凹む溝状凹部５１ｂを備えた構成としてある。そして、この溝状凹部５１ｂ内に前記板バネ５２を、当該湾曲板バネ５２における両端５２ｂが当該溝状凹部５１ｂにおける円周方向の溝底端に当接するように組み付け、しかも、この湾曲板バネ５２における前記凹み部５２ａに筒状部３１ｂの雌ねじ孔５４から螺入された圧締ねじ５３の先端を当接させて、この湾曲板バネ５２を介して各軸受け材５１、５１を軸４０Ａ、４０Ｂに圧接し得るようにしてある。
【００４７】
ついで、第２アーム片３２は、前記第１のアーム片３１における筒状部３１ｂの各開口を塞ぎ、かつ、軸４０Ｂを固定するように当該筒状部３１ｂの両側に組み付けられる一対の細長板状部３２ａ、３２ｂを備え、しかも、この一方の細長板状部３２ａの他端側に、他方の細長板状部３２ｂに到る長さの筒状部３２ｃを備えた構成としてある。そして、この筒状部３２ｃに差し入れられる軸４０Ｃに対して、当該第２のアーム片３２を、前記第１アーム片３１の各筒状部３１ｂにおけると同様に、当該軸４０Ｃの締め付け具５０としての一対の軸受け材５１における軸受け溝５１ａ内に該軸４０Ｃを受け入れ、しかも、この軸受け材５１における溝状凹部５１ｂ内に組み入れた湾曲板バネ５２における凹み部５２ａに、当該筒状部３２ｃの雌ねじ孔５４から螺入した圧締ねじ５３の先端を当接させて、この湾曲板バネ５２を介して当該軸４０Ｃを各軸受け部材５１、５１で圧締状態に調節支持し得るようにしてある。
【００４８】
なお、この第２のアーム片３２には、前記第１のアーム片３１における一方の筒状部３１ｂ内に差し入れられる軸４０Ｂを当該各第２のアーム片３２の細長板状部３２ａ、３２ｂ間で支持するようにしてあり、図示例におけるように前記筒状部３１ｂ内に前記締め付け具５０を伴って組み込まれている当該軸４０Ｂの両端に各対をなして備えられている雌ねじ孔４０Ｂａ、４０Ｂａに当該細長板状部３２ａ、３２ｂの孔３２ｄから止めねじ５５をねじ入れて、この各細長板状部３２ａ、３２ｂ間に軸４０Ｂを止着するようにしてある。
【００４９】
また、この細長板状部３２ａ、３２ｂに備えられている軸孔３２ｇから軸４０Ｃを前記締め付け具５０の備えられている筒状部３２ｃに受け入れてあり、この軸４０Ｃを筒状部３２ｃ内に受け入れている各細長板状部３２ａ、３２ｂを、この筒状部３２ｃの先端部に備えられている雌ねじ部３２ｅに他方の細長板状部３２ｂに備えられている孔３２ｆから止めねじ５６をねじ入れて、当該各細長板状部３２ａ、３２ｂを一体的に組み付けてある。
【００５０】
このようにアーム３０によって備え付け基材２０に対して回動可能に、しかも、第１のアーム片３１と第２のアーム片３２とを回動可能に、更に、区分ミラー部１２を第１のアーム片３１に回動可能に組み付けてあることから、区分ミラー部１２は前記凹欠部２１に都合よく納め入れられた状態から手前側、すなわち、洗面側に向けて容易に引き出し得ると共に、その引き出し位置において停止状態にして用いることができ、また、前記凹欠部２１に対して都合よく納め入れることができる。
【００５１】
ついで、前記凹欠部２１に納め入れられた区分ミラー部１２におけるミラー面をミラー主体部１１のミラー面に同面をなすように、当該区分ミラー部１２を吸着状態に保持する吸着保持手段Ｂは、永久磁石６３ｂを備えたマグネット吸着具６０と、当該マグネット吸着具６０によって吸着される磁性材７０とを備えた構成としてあり、この図示例にあっては、区分ミラー部１２の背面側に台部７１を設け、この台部７１に磁性材７０を、当該磁性材７０の吸着面が区分ミラー部１２の平面状ミラー面に平行となるように設けてある。また、この磁性材７０に突き出し端側を吸着するマグネット吸着具６０は、この区分ミラー部１２の背部方に設置してあり、この図示例にあっては、ミラー１０の備え付け基材２０に筒状ハウジング６１を組み付けてあって、この筒状ハウジング６１に出入り可能に組み付けてあるスライダー６３における永久磁石６３ａに添装されているヨーク６３ｃが前記磁性材７０に吸着し得るようにしてある。
【００５２】
かかるマグネット吸着具６０は、ビス６１ａによって備え付け基材２０に固着されている筒状ハウジング６１と、この筒状ハウジング６１内に備えられて、その先端側を出没可能とされているスライダー６３と、当該スライダー６３の先端側を出没し得るように当該スライダー６３の動作を規制するハート状カム溝６２と、このカム溝６２に一端側の屈曲片部６５ａを引っ掛けると共に他端側の屈曲片部６５ｂを前記スライダー６３の引っ掛け孔６３ｄに引っ掛けたガイドロッド６５と、前記スライダー６３を、その先端側が常時外方に突き出す向きに付勢するように当該筒状ハウジング６１内に備えられる圧縮コイルバネ６４とを備えた構成としてある。
【００５３】
かかるスライダー６３は扁平な長方形状の永久磁石６３ｂの各磁極に例えば、軟鉄等の磁性板からなるヨーク６３ｃ、６３ｃを添装した状態でハウジング６３ａに組み付けてあり、前記筒状ハウジング６１内を摺動し得るように密に嵌め入れてあり、このヨーク６３ｃの先端がやや当該ハウジング６３ａから前方に突き出して前記磁性材７０に都合よく接触し得るようにしてある。また、このスライダー６３の内側端には、前記ガイドロッド６５の屈曲片部６５ｂの引っ掛け孔６３ｄが設けてあり、当該スライダー６３の動作を規制するようにしてある。
【００５４】
かかるスライダー６３のガイドロッド６５の屈曲片部６３ａの案内されるハート状カム溝６２は、圧縮コイルバネ６４によって付勢設置されているスライダー６３の当該付勢の向きと反対の側に向けて延びるように設けてあり、当該スライダー６３の動作方向と同一向きの直進溝部６２ａと、第１段面６２ｍに突き当たって側方に案内される横移動溝部６２ｂと、第２段面６２ｎから落ち込んで前記直進溝部６２ａの前方に向けて折返し案内される折返し溝部６２ｃと、この折返し溝部６２ｃにある第３段面６２ｐを落ち込んで当該屈曲片部６５ａを引っ掛け状態に維持する引っ掛け溝部６２ｄと、前記第３段面６２ｐに突き当たって前記折返し溝部６２ｃと対象をなすように屈曲片部６５ａを案内する押し戻し溝部６２ｅと、この押し戻し溝部６２ｅにある第４段面６２ｑから落とし込まれて前記第１段面６２ｍに到る横移動溝部６２ｆとを備えており、この第１段面６２ｍから前記直進溝部６２ａに落とし込まれて、前記動作始点に屈曲片部６５ａを戻し得る構成としてある。
【００５５】
この結果、前記区分ミラー部１２は、これを前記凹欠部２１内に向けて納め入れる際に、当該区分ミラー部１２における磁性材７０をマグネット吸着具６０のヨーク６３ｃに吸着し、この状態で、この区分ミラー部１２を前記凹欠部２１内に納め入れることによって、スライダー６３が内方に押し込まれ、スライダー６３と共に動作しているガイドロッド６５の屈曲片部６５ａが前記直進溝部６２ａから横移動溝部６２ｂ、折返し溝部６２ｃを経て引っ掛け溝部６２ｄに案内されて引っ掛け状態とされる。かかる状態で、この区分ミラー部１２は、当該区分ミラー部１２におけるミラー面を、ミラー主体部１１におけるミラー面と同面をなすようにしてある。
【００５６】
ついで、この区分ミラー部１２を引き出し用いる際にあっては、当該区分ミラー部１２を備え付け基材２０側に再度押し込むことによって、スライダー６３の屈曲片部６５ａが第３段面６２ｐに突き当たって押し戻し溝部６２ｅにある第４段面６２ｑから横移動溝部６２ｆに落とし込まれて、第１段面６２ｍを経て直進溝部６２ａに前記圧縮コイルバネ６４の付勢によって押し戻され、当該スライダー６３を外方に突き出すように作用する。この結果、区分ミラー部１２はミラー主体部１１から外方に突き出し状態に位置づけられることとなり、このミラー主体部１１から外方に位置づけられている区分ミラー部１２を把持して、所定の位置に引き出して用いることができる。
【００５７】
なお、前記図示例にあっては、区分ミラー部１２がミラー主体部１１の側端部に位置するようにしてあるが、当該ミラー主体部１１の他のいずれの箇所に設けるようにしてあってもよい。
【００５８】
また、前記図示例にあっては、アーム３０が区分ミラー部１２の側端面に備えられ、その回動軸線が水平向きとしてあるが、区分ミラー部１２の上端面や下端面に当該アーム３０を組み付け、区分ミラー部１２を垂直向きの回動軸線で回動し得るようにしてあってもよい。
【００５９】
このように構成される洗面化粧台Ａは、使用者Ｄが、通例の洗面化粧台Ａとして用い得ることは勿論のこと、区分ミラー部１２を必要位置に引き出し用いることによって、細部にわたる化粧及び身繕い、細部にわたる身嗜みのチェック、コンタクトレンズの装着、踏み台等を用いることなく幼児童等が洗面化粧をする際や、図２に示されるように車椅子Ｃに乗ったままの状態で洗面化粧をする際等の種々の態様で用いることができる。
【図面の簡単な説明】
【００６０】
【図１】典型的な洗面化粧台の斜視図
【図２】同使用状態を示す側面図
【図３】同要部斜視図
【図４】同要部側面図
【図５】同要部のアーム部で断面した側面図
【図６】同アーム部品の分離斜視図
【図７】同要部部品の分離斜視図
【図８】同吸着保持手段の要部断面図
【符号の説明】
【００６１】
Ａ  洗面化粧台
Ｂ  吸着保持手段
１０  ミラー
１１  ミラー主体部
１２  区分ミラー部
２０  備え付け基材
３０  アーム
【図１】
2007054521.tif 000003
【図２】
2007054521.tif 000004
【図３】
2007054521.tif 000005
【図４】
2007054521.tif 000006
【図５】
2007054521.tif 000007
【図６】
2007054521.tif 000008
【図７】
2007054521.tif 000009
【図８】
2007054521.tif 000010